(57)【要約】【課題】  光の向きを調節することができる照明器具を提供する。【解決手段】  筐体１の内側に、ＬＥＤでなる光源４を収容して手動回転操作される筒状ケース５を回転可能に取り付け、その筒状ケース５の筒壁外周面を筐体１の開口窓１２に臨ませる。光源に対する給電状態のオンオフを切り換えるスイッチ機構６を、筐体１の内部に配備する。スイッチ機構６の動作タイミングを適切に定めることによって、光源４が開口窓１２に臨んでいるときに光源４が点灯し、光源４が開口窓１２に臨んでいないときに光源４が消灯するようにする。【選択図】        図８
0003107832.tif 000002
【実用新案登録請求の範囲】
【請求項１】
筐体の内側に、ＬＥＤでなる光源を収容してその光源と共に軸線周りに手動回転操作される筒状ケースが回転可能に取り付けられ、かつ、その筒状ケースの筒壁外周面が上記筐体に具備された開口窓に臨んでおり、
上記光源に対する給電状態のオンオフを切り換えるスイッチ部とそのスイッチ部のオンオフモードを切換制御するための操作部とを有するスイッチ機構の上記スイッチ部が上記筐体に設けられているのに対し、上記操作部が上記筒状ケースの偏心箇所に設けられており、上記操作部は、上記筒状ケースの筒壁外周面の周方向一箇所に定められた基準位置が、上記筒状ケースの軸線周りの定位置に規定された一定角度領域の内側に位置しているときに上記スイッチ部をオンモードに制御し、上記基準位置が上記一定角度領域の外側に位置しているときに上記スイッチ部をオフモードに制御する機能を備えていると共に、上記スイッチ部がオンモードに制御されているときに、上記筒状ケースの筒壁に具備された透明領域が上記開口窓に臨むように構成されていることを特徴とする照明器具。
【請求項２】
上記筒状ケースの回転範囲を規制する回転範囲規制機構を備えていて、この回転範囲規制機構が、上記筒状ケースの偏心箇所に設けられた突起と、上記筐体に設けられて上記突起を上記筒状ケースの回転方向の２箇所でそれぞれ受け止めてその筒状ケースの回転を阻止する一対の突起受け部とで構成されている請求項１に記載した照明器具。
【請求項３】
上記筒状ケースの筒壁が、透光性を備えた透明領域と透光性を有しない非透明領域とに周方向で２区画されている請求項１又は請求項２に記載した照明器具。
【請求項４】
手動回転操作された上記筒状ケースをその操作後の位置に位置決めする摩擦付与手段を備え、この摩擦付与手段が、筐体側の固定摩擦面と筒状ケースの端面によって形成されている可動摩擦面との間にゴムリングを圧縮状態で挟持させてなる請求項１ないし請求項３のいずれか１項に記載した照明器具。
【考案の詳細な説明】
【技術分野】
【０００１】
本考案は、照明器具、詳しくは手元灯や足元灯などとして使用可能な照明器具に関する。
【背景技術】
【０００２】
この種の照明器具の従来例として、たとえばベッドに取り付けて使用するものがあった。この従来例は、暗い室内でベッドに横たわって読書をするときや局部照明が必要なときなどに便利に用い得るものであって、ベッドのヘッドボードや寝台などに取り付けられている。
【考案の開示】
【考案が解決しようとする課題】
【０００３】
しかしながら、従来例は光の向きを変えることができなかったために照明できる範囲が狭い範囲に限られてしまい、たとえば読書をするときに、人が姿勢を変えて仰向けになったりうつ伏せになったりしたときにいつでも満足のいく明るさが得られるというものではなかった。また、従来例は、光源のオンオフを制御するためのスイッチ機構の設置スペースを外形部分に確保してそのスイッチ機構を手の指で操作するようになっていたためにそれだけ外形が大形になり、その設置箇所が広いスペースを確保することのできる箇所に制限されていた。
【０００４】
本考案は以上の事情に鑑みてなされたものであり、ベッドや仏壇、各種のキャビネット、鏡台などに取り付けて使用したり、また、用途面としては手元灯や足元灯などの局部照明器具として用いることに適して、光の向きを広い範囲で調節することができるようにしてその使い勝手を高めることのできる照明器具を提供することを目的とする。
【０００５】
また、本考案は、当該照明器具の光源を収容している筒状ケースを手の指で直接に回転操作して光源の点消灯操作を行うことができる構造を採用することによってスイッチ機構を外形部分に確保する必要性をなくし、そうすることによって照明器具をコンパクトに構成して狭いスペースに設置することができるようにしたものでありながら、手の指でその筒状ケースを直接に操作しても熱く感じたり火傷を負ったりする心配のない照明器具を提供することを目的とする。
【課題を解決するための手段】
【０００６】
本考案に係る照明器具の構成を、実施形態を示した図５、図６、図７及び図８を参照して説明する。すなわち、この照明器具は、筐体１の内側に、ＬＥＤでなる光源４を収容してその光源４と共に軸線周りに手動回転操作される筒状ケース５が回転可能に取り付けられ、かつ、その筒状ケース５の筒壁外周面が上記筐体１に具備された開口窓１２に臨んでいる。また、上記光源４に対する給電状態のオンオフを切り換えるスイッチ部８とそのスイッチ部８のオンオフモードを切換制御するための操作部９とを有するスイッチ機構６の上記スイッチ部８が上記筐体１に設けられているのに対し、上記操作部９が上記筒状ケース５の偏心箇所に設けられており、上記操作部９は、上記筒状ケース５の筒壁外周面の周方向一箇所に定められた基準位置Ｐが、上記筒状ケース５の軸線周りの定位置に規定された一定角度領域Ｚの内側に位置しているときに上記スイッチ部８をオンモードに制御し、上記基準位置Ｐが上記一定角度領域Ｚの外側に位置しているときに上記スイッチ部８をオフモードに制御する機能を備えていると共に、上記スイッチ部８がオンモードに制御されているときに、上記筒状ケース５の筒壁５２に具備された透明領域Ｇ１が上記開口窓１２に臨むように構成されている。
【０００７】
この構成であれば、スイッチ機構６が筐体１の内部に収容されているために、そのスイッチ機構６の設置スペースを筐体１の外形部分に確保する必要がなくなってそれだけ全体をコンパクトにすることが可能になる。また、光源４を収容してその光源４の発熱の影響を受けやすい筒状ケース５を手動回転操作することによって光源４の点消灯を制御する構成としてその使い勝手を高めているにもかかわらず、光源４には明るさの割りに発熱量が極端に少ないＬＥＤを採用したので、筒状ケース５の温度が高くなって手の指が熱くなったり火傷を負うという事態は起こらない。さらに、スイッチ機構６の操作部９は、筒状ケース５の筒壁外周面の周方向一箇所に定められた基準位置Ｐが、筒状ケース５の軸線周りの定位置に規定された一定角度領域Ｚの内側に位置しているときにスイッチ部８をオンモードに制御し、基準位置Ｐが一定角度領域Ｚの外側に位置しているときに上記スイッチ部８をオフモードに制御する機能を備えていると共に、上記スイッチ部８がオンモードに制御されているときに、上記筒状ケース５の筒壁５２に具備された透明領域Ｇ１が上記開口窓１２に臨むように構成されているので、ＬＥＤでなる光源４からの投光方向を筒状ケースの回転操作方向で上記一定角度領域Ｚの開き角度に見合う範囲で変化させることが可能になり、そのために、たとえばベッドで姿勢を変えて仰向けになったりうつ伏せになったりして読書などをするときに、そのときの姿勢に応じて光の向きを変えることができるようになるという利便がある。
【０００８】
本考案では、上記筒状ケース５の筒壁外周面の軸線周りの回転範囲を規制する回転範囲規制機構１００を備えていて、この回転範囲規制機構１００が、上記筒状ケース５の偏心箇所に設けられた突起１１０と、上記筐体１に設けられて上記突起１１０を上記筒状ケース５の回転方向の２箇所でそれぞれ受け止めてその筒状ケース５の回転を阻止する一対の突起受け部１２１，１２２とで構成されている、という構成を採用することが可能であり、この構成を採用することより、筒状ケース５の手動回転操作に光源の点灯タイミングや消灯タイミングを関連付けやすくなって使い勝手を向上させやすい。
【０００９】
本考案では、上記筒状ケースの筒壁が、透光性を備えた上記透明領域Ｇ１と透光性を有しない非透明領域Ｇ２とに周方向で２区画されていることが望ましい。これによれば、スイッチ部８がオフモードに制御されて光源４が消灯しているときに、非透明領域Ｇ２を筐体の開口窓に臨ませることが可能になるので、その非透明領域Ｇ２を見ることによって光源４が消灯していることを確認することが可能になるという利便がある。
【００１０】
本考案では、手動回転操作された上記筒状ケース５をその操作後の位置に位置決めする摩擦付与手段１６を備え、この摩擦付与手段１６が、筐体側の固定摩擦面１６ａと筒状ケース５の端面によって形成されている可動摩擦面１６ｂとの間にゴムリング１６ｃを圧縮状態で挟持させてなる、という構成を採用することが可能である。これによれば、ゴムリング１６ｃを筐体１側の固定摩擦面１６ａと筒状ケース５側の可動摩擦面１６ｂとの間に挾み込むという簡単な構成で光源４の向きを無段階調節することができるようになる。
【考案の効果】
【００１１】
以上のように、本考案によれば、光の向きを広い範囲で調節することができるようになるので、ベッドで姿勢を変えて仰向けになったりうつ伏せになったりして読書などをするときに、そのときの姿勢に応じて光の向きを変えることができるようになるという利便があるほか、仏壇の天井に取り付けてその内部を照明したり、書棚などのキャビネット類を局部的に照明したり、鏡台に取り付けてネイルケアや手元の照明に使用したりすることのできる利便がある。また、光源を収容している筒状ケースを手の指で直接に回転操作して光源の点消灯操作を行うことができるにもかかわらず、手の指が熱く感じたり火傷を負ったりする心配がない。さらに、スイッチ機構を外形部分に確保する必要性がないのでその外形がコンパクトであり、そのために、ベッドのヘッドボードや寝台のほか、仏壇や書棚、鏡台その他の場所の狭いスペースにも体裁よく取り付けることができるようになる。
【考案を実施するための最良の形態】
【００１２】
図１は本考案に係る照明器具の正面図、図２は他の状態での照明器具の正面図、図３は取付状態を併せて示した側面図である。また、図４は摩擦付与手段１６の構成を例示した説明図、図５は光源４を収容した筒状ケース５の断面図、図６〜図８はスイッチ機構６や回転角度規制機構１００の動作などを示した断面図である。さらに図９は使用状態説明図である。
【００１３】
図１、図２又は図６〜図８に示したように、この照明器具の筐体１は、リアボックス１３とフロントパネル１４とを合わせることにより横長形状に形成されている。そして、筐体１の内側に配備された横長形状の筒状ケース５の一端部と他端部とが、筐体１に回転可能に取り付けられている。筐体１に対する筒状ケース５の一端部の取付箇所では、図４のように筒状ケース５の一端部中央に設けられた軸部５１が筐体１のフロントパネル１４（図６〜図８参照）に一体成形されている軸受１５によって回転自在に支持されている。加えて、同図のように、筒状ケース５の一端部の取付箇所には摩擦付与手段１６が付設されていて、この摩擦付与手段１６が、軸受１５の端面によって形成されている固定摩擦面１６ａと、筒状ケース５に突出状に具備された端面によって形成されている可動摩擦面１６ｂと、それらの摩擦面１６ａ，１６ｂの間に圧縮状態で介在されたゴムリング１６ｃとによって構成され、そのゴムリング１６ｃは軸部５１に嵌合保持されている。筐体１に対する筒状ケース５の他端部の取付箇所も同様の構成になっている。したがって、筒状ケース５を手動回転操作したときには、その操作を行った後の位置で筒状ケース５がそのまま位置決めされ、しかも、筒状ケース５の回転位置を無段階に選択することができる。さらに、図１、図２又は図３のように、筒状ケース５の筒壁５２の外周面は、その周方向の一部が、上記筐体１のフロントパネル１４に形成されている横長矩形の開口窓１２に臨んでいると共に、その筒壁５２の外周面の軸方向複数箇所に、手動回転操作を容易にするために滑り止め用の凹凸面５２ａが形成されている。
【００１４】
図５のように、筒状ケース５の筒壁５２は、透光性を備えた透明体５３によって形成されている透明領域Ｇ１と透光性を有しない不透明体５４によって形成されている非透明領域Ｇ２とに周方向で２区画されていて、透明体５３の光源４との対向箇所にはレンズ部５３ａを一体に形成してある（図２参照）。また、その筒状ケース５の内部スペースの定位置に、ＬＥＤでなる光源４を搭載した配線基板４１が配備されていて、その光源４が、上記透明領域Ｇ１で上記筒壁５２の外周面の周方向の一箇所に規定された基準位置Ｐに対向している。
【００１５】
図５及び図６〜図８において、６はスイッチ機構で、このスイッチ機構６は、筐体１のリアボックス１３に取り付けられて光源に対する給電状態のオンオフを切り換えるためのスイッチ部８と、筒状ケース５の他端部の偏心箇所に設けられて上記スイッチ部８のオンオフモードを切換制御するための操作部９とを有していて、操作部９が円弧状のリブによって形成されている。そして、筒状ケース５を手動で回転操作すると、操作部８の位置に応じて、操作部９がスイッチ部８のレバー８１を押し下げてスイッチ部８がオンモードに制御されたり、操作部９がスイッチ部８のレバー８１から離れてスイッチ部８がオフモードに制御されたりする。そして、この実施形態では、操作部９によってスイッチ部８がオンモードに制御されたりオフモードに制御されたりするときのタイミングは次のように定められている。
【００１６】
すなわち、筒状ケース５の回転中心に対して上記操作部９の拡がり角度が略９０度に設定されていて、上記基準位置Ｐが、筒状ケース５の筒壁５２の外周面の軸線周りの定位置に規定された角度領域Ｚ、すなわち、図７に示した筐体１の開口窓１２内上部位置と図８に示した開口窓内下部位置との間の範囲に規定されている角度領域Ｚの内側に位置するように筒状ケース５が回転操作されているときには、操作部９がスイッチ部８のレバー８１を押し下げてスイッチ部８をオンモードに制御するのに対し、上記基準位置Ｐが上記角度領域Ｚの外側に位置するように筒状ケース５が回転操作されているときには、操作部９がスイッチ部８のレバー８１から離れてスイッチ部８をオフモードに制御するようになっている。そして、スイッチ部８がオンモードに制御されているときに、筒状ケース５の筒壁５２の透明体５３によって形成されている透明領域Ｇ１が上記開口窓１２に臨むように構成されている。
【００１７】
また、この照明器具は、筒状ケース５の回転範囲を略１８０度の範囲に規制する回転範囲規制機構１００を備えていて、この回転範囲規制機構１００が、筒状ケース５の他端部の偏心箇所に設けられた突起１１０と、筐体１に設けられて上記突起１１０を筒状ケース５の回転方向の２箇所でそれぞれ受け止めてその筒状ケース５の回転を阻止する一対の突起受け部１２１，１２２とで構成されていて、突起１１０が図６のように一方側の突起受け部１２１に係止されているときには、筒状ケース５の不透明体５４によって形成される非透光領域Ｇ２が開口窓１２の全体に臨み、突起１１０が図８のように他方側の突起受け部１２２に係止されているときには、筒状ケース５の透明体５３によって形成される透光領域Ｇ１が開口窓１２の全体に臨むように構成されている。なお、この実施形態では、突起受け部１２１，１２２が、上記した軸受１５の両側に振り分けて形成されている。
【００１８】
以上のように構成されている照明器具は、たとえば、図３に示したように、ベッドや仏壇などの照明器具を取り付けるべき物品の板状部２００の開口を利用してその板状部２００に取り付けられる。
【００１９】
この照明器具において、図６に示した初期状態では、突起１１０が一方側の突起受け部１２１に係止されているので、筒状ケース５の不透明体５４によって形成される非透光領域Ｇ２が図１のように開口窓１２の全体に臨んでいる。また、基準位置Ｐは筐体１の内側に位置し、スイッチ機構６の操作部９はスイッチ部８のレバー８１から離れてそのスイッチ部８をオフモードに制御している。したがって、使用者は、開口窓１２が不透明体５４で塞がれているのを目で見て光源４としてのＬＥＤが消灯していることを知ることができる。
【００２０】
図６の初期状態から使用者が手の指で筒状ケース５の開口窓１２から露出している部分を下側に向けて手動回転操作することにより、図７矢印Ｒ１のように基準位置Ｐを回転させた場合には、基準位置Ｐが同図のように開口窓１２内上部に到達して図８に示した定位置の角度領域Ｚに入った時点で操作部９がレバー８１を押し下げるので、スイッチ部８がオフモードからオンモードに切り換わって光源４が点灯する。このようなスイッチ部８のオンモードは、基準位置Ｐが図８に示した定位置の角度領域Ｚの内側に位置しておりさえすれば、筒状ケース５を図８に矢印で示した正方向Ｒ２又は逆方向Ｒ２’のいずれの方向に回転操作した場合でも維持されるので光源４は点灯したままになる。したがって、上記領域角度範囲Ｚ内で光源４から出る光の向きを変化させることが可能である。また、光源４には明るさの割りに発熱量が極端に少ないＬＥＤを採用しているので、光源４を収容してその光源４の発熱の影響を受けやすい筒状ケース５を手動回転操作する構成としてその使い勝手を高めているにもかかわらず、筒状ケース５の温度が高くなって手の指が熱くなったり火傷を負うという事態は起こらない。
【００２１】
光源４を消灯するときには、筒状ケース５を逆方向に回転させると、基準位置Ｐが図８の定位置の角度領域Ｚの外側に出た時点で操作部９がレバー８１から離れ、スイッチ部８がオンモードからオフモードに切り換わり光源４が消灯する。このようなスイッチ部８のオフモードは、基準位置Ｐが図８に示した定位置の角度領域Ｚの外側に位置しておりさえすれば、筒状ケース５を図７に矢印で示した正方向Ｒ１又は逆方向Ｒ１’のいずれの方向に回転操作した場合でも維持されるので光源４は消灯したままになる。
したがって、たとえば図９のようにベッドＢで仰向けになって読書をする場合や、図示していないがうつ伏せになって読書をする場合に、そのときの姿勢に応じて、たとえばヘッドボードＨに装着したベッドライト(照明器具)Ｌから発せられる光の向きを上下方向で変えることができる。なお、図４において角度θ１は光の向きを上下方向で変えられる範囲を例示したものである。
【００２２】
この実施形態では、光源４が点灯する定位置の角度領域Ｚを上下方向略９０度の範囲に定めてあるけれども、この点は、操作部９の拡がり角度（長さ）を変えることによって広くしたり狭くしたりすることが可能である。
【図面の簡単な説明】
【００２３】
【図１】本考案に係る照明器具の正面図である。
【図２】他の状態での照明器具の正面図である。
【図３】取付状態を併せて示した照明器具の側面図である。
【図４】摩擦付与手段の構成を例示した説明図である。
【図５】光源を収容した筒状ケースの断面図である。
【図６】初期状態でのスイッチ機構や回転経路規制機構などを示した断面図である。
【図７】他の状態でのスイッチ機構や回転経路規制機構などを示した断面図である。
【図８】さらに他の状態でのスイッチ機構や回転経路規制機構などを示した断面図である。
【図９】使用状態説明図である。
【符号の説明】
【００２４】
１  筐体
４  光源
５  筒状ケース
６  スイッチ機構
８  スイッチ部
９  操作部
１２  開口窓
１６  摩擦付与手段
１６ａ  固定摩擦面
１６ｂ  可動摩擦面
１６ｃ  ゴムリング
５２  筒状ケースの筒壁
１００  回転経路規制機構
１１０  突起
１２１，１２２  突起受け部
Ｂ  ベッド
Ｌ  照明器具
Ｐ  基準位置
Ｚ  筒状ケースの筒壁外周面の軸線周りの回転経路中の一定角度領域
Ｇ１  透明領域
Ｇ２  非透明領域
【図１】
0003107832.tif 000003
【図２】
0003107832.tif 000004
【図３】
0003107832.tif 000005
【図４】
0003107832.tif 000006
【図５】
0003107832.tif 000007
【図６】
0003107832.tif 000008
【図７】
0003107832.tif 000009
【図８】
0003107832.tif 000010
【図９】
0003107832.tif 000011